(57)【特許請求の範囲】
【請求項１】
ハウジング上面に配置された操作ハンドルを前方と後方の間で傾倒操作することで、ハウジング内に配置された可動接点が、ハウジング内の前記可動接点の前後に配置された一対の固定接点の間で選択傾倒して何れか一方に接触して、前記可動接点の接続先を切り替える切替開閉器であって、
一方の固定接点に接続された第１回路接続端子と、他方の固定接点に接続された第２回路接続端子とが前記操作ハンドルに対して前記ハウジングの前方に配置される一方、
前記可動接点に接続された第３回路接続端子は、分岐ブレーカのプラグイン式の一次側端子の接続を可能とする銅バー型端子であって、前記ハウジングの背面に配置されてなることを特徴とする切替開閉器。
【請求項２】
前記第１〜第３回路接続端子、前記可動接点、及び前記一対の固定接点は、３連で構成されて単相３線式電路に対応し、
前記第３回路接続端子を構成する３本の前記銅バー型端子は、上下に重なるように配置され、それぞれ幅広に形成されて複数の前記分岐ブレーカを隣接して連結可能としたことを特徴とする請求項１記載の切替開閉器。
【発明の詳細な説明】
【技術分野】
【０００１】
本発明は、１つの回路に対して２系統の回路のうちの一方の回路を選択して接続する切替開閉器に関する。
【背景技術】
【０００２】
停電発生時に、非常用電灯や冷蔵庫等の特定の電気機器の電源を商用電源から蓄電池等の分散電源に切り替えることで、停電発生による障害や被害の発生を削減できる分電盤がある。例えば特許文献１では、切替開閉器を分電盤内に設置して停電が発生したら特定の電気機器を商用電源から蓄電池等の分散電源に切り替え可能とし、引き続き稼働させることを可能としている。
【先行技術文献】
【特許文献】
【０００３】
【特許文献１】特開２０１６−３９７５５号公報
【発明の概要】
【発明が解決しようとする課題】
【０００４】
上記特許文献１に開示された分電盤は、商用電源と分散電源との双方に接続される特定の負荷に対して、切替開閉器により電源を切り替えるよう構成されており、切替開閉器及びその二次側電路の配線のための広い設置スペースを必要とした。
そのため、分電盤が大型なものとなったし、場合によっては商用電源専用の回路と、商用電源と分散電源の双方から電源が供給できる特定負荷回路とで分離した分電盤ケースに収容された。
【０００５】
そこで、本発明はこのような問題点に鑑み、商用電源と蓄電池等の分散電源との間の切り替えを行う回路を狭いスペースで形成できる切替開閉器を提供することを目的としている。
【課題を解決するための手段】
【０００６】
上記課題を解決する為に、請求項１の発明は、ハウジング上面に配置された操作ハンドルを前方と後方の間で傾倒操作することで、ハウジング内に配置された可動接点が、ハウジング内の可動接点の前後に配置された一対の固定接点の間で選択傾倒して何れか一方に接触して、可動接点の接続先を切り替える切替開閉器であって、一方の固定接点に接続された第１回路接続端子と、他方の固定接点に接続された第２回路接続端子とが操作ハンドルに対してハウジングの前方に配置される一方、可動接点に接続された第３回路接続端子は、分岐ブレーカのプラグイン式の一次側端子の接続を可能とする銅バー型端子であって、ハウジングの背面に配置されてなることを特徴とする。
この構成によれば、切替開閉器に分岐ブレーカを直接連結可能なため、切替開閉器から分岐ブレーカまでの二次側電路の配設が必要なくなり、切替開閉器設置に伴う配電路スペースを大幅に削減できる。
【０００７】
請求項２の発明は、請求項１に記載の構成において、第１〜第３回路接続端子、可動接点、及び一対の固定接点は、３連で構成されて単相３線式電路に対応し、第３回路接続端子を構成する３本の銅バー型端子は上下に重なるように配置され、それぞれ幅広に形成されて複数の分岐ブレーカを隣接して連結可能としたことを特徴とする。
この構成によれば、単相３線式電路を引き込んで分岐する住宅用分電盤に省スペースで切替開閉器を組み付けできるし、複数の分岐ブレーカを直接接続できるため、設置スペースを大幅に削減できる。
【発明の効果】
【０００８】
本発明によれば、切替開閉器に分岐ブレーカを直接連結可能なため、切替開閉器から分岐ブレーカまでの二次側電路の配設が必要なくなり、切替開閉器設置に伴う配電路スペースを大幅に削減できる。
【図面の簡単な説明】
【０００９】
【図１】本発明に係る切替開閉器の一例を示す斜視図であり、接続される分岐ブレーカを加えて示している。
【図２】切替開閉器の平面図であり、接続される分岐ブレーカを加えて示している。
【図３】内部回路図である。
【図４】Ａ−Ａ線断面図である。
【図５】Ｂ−Ｂ線断面図である。
【図６】Ｃ−Ｃ線断面図である。
【図７】切替開閉器を一方に接続操作した状態のＣ−Ｃ線断面図である。
【発明を実施するための形態】
【００１０】
本発明を具体化した実施の形態を、図面を参照して詳細に説明する。図１の斜視図、図２の平面図は本発明に係る切替開閉器の一例を示し、二次側に接続される分岐ブレーカ（特定分岐ブレーカ）を加えて示している。１が切替開閉器、２が分岐ブレーカであり、単相３線式電路に使用される構成を示している。尚、図１と図２とは左右を反転して示している。
切替開閉器１は、ハウジング１０の上面に切替操作する操作ハンドル１１が配置され、ハウジング１０の前方（図１に示す左側）に後述する一対の固定接点７のうちの一方の固定接点７Ａに接続された第１回路接続端子１２（第１電圧極端子１２ａ，中性極端子１２ｂ，第２電圧極端子１２ｃ）、及び他方の固定接点７Ｂに接続された第２回路接続端子１３（第１電圧極端子１３ａ，中性極端子１３ｂ，第２電圧極端子１３ｃ）が配置され、ハウジング１０の背面（図１に示す右側）には後述する可動接点５に接続されている第３回路接続端子１４（第１電圧極端子１４ａ，中性極端子１４ｂ，第２電圧極端子１４ｃ）が配置されている。また、５は端子を保護する端子カバーである。
【００１１】
第１及び第２回路接続端子１２，１３は、ネジ６により図示しないケーブルを連結固定するネジ式端子であり、左右方向にそれぞれ３個連設され、図２に示すように第１電圧極端子１２ａ，１３ａ、中性極端子１２ｂ，１３ｂ、第２電圧極端子１２ｃ，１３ｃの順で配置されている。一方、第３回路接続端子１４は、それぞれの端子が横長の銅バー型端子であり、上下方向に３本の銅バー型端子が並べて配置され、上から中性極端子１４ｂ，第１電圧極端子１４ａ，第２電圧極端子１４ｃと配置されている。この第３回路接続端子１４の銅バー型端子は、幅広に形成され、複数の分岐ブレーカ２を隣接して接続できるよう形成されている。
【００１２】
分岐ブレーカ２は概略を示し、開閉操作する操作レバーや二次側端子は省略してある。但し、一次側端子２１は、図１に示すように分岐ブレーカ２の背面（図１に示す左側）において横方向に切り欠きを設けて形成されたプラグイン式の端子であり、水平方向に配置された銅バー型端子（第３回路接続端子１４）を上下から挟持して接続する構造となっている。また、一次側端子２１は３端子で構成され、上から中性極端子２１ｂ、第１電圧極端子２１ａ、第２電圧極端子２１ｃと配列され、切替開閉器１の第３回路接続端子１４に直接接続可能に、即ち互いの背面同士が連結可能に構成されている。
【００１３】
図３は切替開閉器１の内部回路図である。図３に示すように、各接続端子１２（１２ａ〜１２ｃ），１３（１３ａ〜１３ｃ），１４（１４ａ〜１４ｃ）は３連で構成されている。そして第３回路接続端子１４は、操作ハンドル１１の操作により、第１回路接続端子１２と第２回路接続端子１３の間で切り替え接続を実施し、接続されない中立の開放状態を含めて３姿勢を選択可能となっている。
具体的に、停電時に電源を商用電源から蓄電池に切り替える回路に切替開閉器１が使用される場合、第３回路接続端子１４に分岐ブレーカ（特定分岐ブレーカ）２を介して負荷（特定負荷）が接続された回路が接続され、第１回路接続端子１２に商用電源が接続された商用電源回路が接続される。そして、第２回路接続端子１３に漏電ブレーカを介して蓄電池を備えた蓄電池系統回路が接続され、操作ハンドル１１の操作により電源の切り替えが成される。尚、商用電源回路と蓄電池系統回路の接続は逆であっても良い。
【００１４】
図４〜７は切替開閉器１を異なる部位で切断した断面図であり、以下この図を参照して内部構造及び動作を説明する。図４は図２のＡ−Ａ線断面図であり、３つの第１電圧極端子１２ａ，１３ａ，１４ａの内部接続構造を示している。
図４に示すように、ハウジング１０内には可動接点１５を前後両側に備えた可動接触子１６が操作ハンドル１１の下部で垂下するように配置され、その前後に一対の固定接点１７（１７Ａａ，１７Ｂｂ）が配置されている。可動接点１５は、可動接触子１６ａ、可動接触子１６ａに接続された可撓導線１８を介して第３回路接続端子１４の第１電圧極端子１４ａに接続され、後方に配置された一方の固定接点１７Ａａは銅バー７ａを介して第１回路接続端子１２の第１電圧極端子１２ａに接続され、前方に配置された他方の固定接点１７Ｂａは銅バー７ｂを介して第２回路接続端子１３の第１電圧極端子１３ａに接続されている。
【００１５】
図５はＢ−Ｂ線断面図であり、３つの中性極端子１２ｂ，１３ｂ，１４ｂの内部接続構造を示している。図５に示すように、可動接点５を備えた可動接触子１６ｂが操作ハンドル１１の下部で垂下するように配置され、その前後に一対の固定接点１７（１７Ａｂ、１７Ｂｂ）が配置されている。
そして、上述した第１電圧極の端子構造と同様に、可動接点１５は可動接触子１６ｂ、可撓導線１８を介して第３回路接続端子１４の中性極端子１４ｂに接続されている。そして、後方に配置された一方の固定接点１７Ａｂは銅バー７ａを介して第１回路接続端子１２の中性極端子１２ｂに接続され、前方に配置された他方の固定接点１７Ｂｂは銅バー７ｂを介して第２回路接続端子１３の中性極端子１３ｂに接続されている。
【００１６】
更に、図６はＣ−Ｃ線断面図であり、３つの第２電圧極端子１２ｃ，１３ｃ，１４ｃの内部接続構造を示している。図６に示すように、可動接点１５を備えた可動接触子１６ｃが操作ハンドル１１の下部で垂下するように配置され、その前後に一対の固定接点１７（１７Ａｃ，１７Ｂｃ）が配置されている。
そして、上述した第１電圧極の構造と同様に、可動接点１５は可動接触子１６ｃ、可撓導線１８を介して第３回路接続端子１４の第２電圧極端子１４ｃに接続されている。そして、後方に配置された一方の固定接点１７Ａｃは銅バー７ａを介して第１回路接続端子１２の第２電圧極端子１２ｃに接続され、前方に配置された他方の固定接点１７Ｂｃは銅バー７ｂを介して第２回路接続端子１３の第２電圧極端子１３ｃに接続されている。
【００１７】
このように構成された切替開閉器１は以下のように切り替えが行われる。可動接触子１６は、操作ハンドル１１の操作で前後に回動するよう構成され、操作ハンドル１１を前方に傾倒すると可動接触子１６も前方に回動するし、操作ハンドル１１を後方に傾倒すると後方に回動する。この結果、操作ハンドル１１の操作で、可動接点１５は一方の固定接点１７に選択接続される。例えば、操作ハンドル１１を図２に示す右側（前方）に傾倒すると、可動接触子５は前方の固定接点１７Ｂに接触して第２回路接続端子１３と第３回路接続端子１４とが接続される。図７は、この接続状態，即ち操作ハンドル１１を前方に傾倒した状態のＣ−Ｃ線断面図である。
【００１８】
このように、切替開閉器１に分岐ブレーカ２を直接連結できるため、切替開閉器１から分岐ブレーカ２までの二次側電路の配設が必要なくなり、切替開閉器１の設置に伴う配電路の設置スペースを大幅に削減できる。
また、単相３線式電路を引き込んで分岐する住宅用分電盤に組み付けて複数の分岐ブレーカ２を連結できるため、電力の切り替えができる分岐電路が複数であっても、切替開閉器１の設置に伴う配電路の設置スペースを大幅に削減できる。
【００１９】
尚、上記実施形態は単相３線式電路に使用する構成を示したが、三相３線式電路に対しても適用できるし、単相２線式電路に対しても適用できるものである。
【符号の説明】
【００２０】
１・・切替開閉器、２・・分岐ブレーカ、１０・・ハウジング、１１・・操作ハンドル、１２・・第１回路接続端子、１３・・第２回路接続端子、１４・・第３回路接続端子、１５・・可動接点、１６・・可動接触子、１７・・固定接点、２１・・一次側端子。
【図１】
0006670668.tif 000002
【図２】
0006670668.tif 000003
【図３】
0006670668.tif 000004
【図４】
0006670668.tif 000005
【図５】
0006670668.tif 000006
【図６】
0006670668.tif 000007
【図７】
0006670668.tif 000008